(57)【要約】【課題】遊技機に用いられるヒンジ具の小型化を図ることが可能な技術を提供することを目的とする。【解決手段】開閉部を枠体に開閉可能に接続するためのヒンジ具として、枠体に固定された固定部と、固定部に連結されているとともに開閉部が接続されるリンク機構と、を備えるヒンジ具を用いる。ここで、固定部は、開閉部が開状態にある場合にリンク機構からの鉛直方向の力を受ける支持部を有し、この支持部は、開閉部が閉状態にある場合にはリンク機構から鉛直方向の力を受けない位置に設けられている。【選択図】図６
2011005303.tif 000002
【特許請求の範囲】
【請求項１】
遊技機であって、
枠体と、
開閉部と、
前記開閉部を前記枠体に開閉可能に接続するためのヒンジ具と、を備え、
前記ヒンジ具は、
前記枠体に固定された固定部と、
前記固定部に連結されているとともに前記開閉部が接続されるリンク機構と、を備え、
前記固定部は、前記開閉部が開状態にある場合に前記リンク機構からの鉛直方向の力を受ける支持部を有し、
前記支持部は、前記開閉部が閉状態にある場合には前記リンク機構から鉛直方向の力を受けない位置に設けられている、
遊技機。
【発明の詳細な説明】
【技術分野】
【０００１】
本発明は、ヒンジ具を備えた遊技機に関するものである。
【背景技術】
【０００２】
従来より、パチンコ機やスロット機等の遊技機は、遊技機器などの主要部品を組み付けた前枠や、ガラス窓を組み付けた前面枠などの開閉部を備えている。これらの開閉部は、遊技機内部の点検や修理を行うために、ヒンジ具を用いて開閉可能であるように構成されている。ところで、近年では、遊技機の前面（例えば、前面枠の前面）に、前方に突出する立体的な装飾部材が設けられる傾向にある。そこで、このような立体的な装飾部材が設けられた開閉部（例えば、前面枠）を開ける際に、装飾部材が、遊技機の隣に設けられた機器（例えば、別の遊技機や玉貸機）と接触することを抑制するために、リンク機構を有するヒンジ具を用いる方法が提案されている（例えば、特許文献１参照）。
【先行技術文献】
【特許文献】
【０００３】
【特許文献１】特開平９−２５３３０２号公報
【０００４】
また、近年の遊技機の開閉部には、種々の装飾部材が設けられ傾向にあるので、開閉部自体の重量も重くなる傾向にある（例えば、７ｋｇ程度となる場合がある）。その結果、ヒンジ具の強度を開閉部の重量に耐え得るものとするために、ヒンジ具が大型化する場合があった。
【発明の概要】
【発明が解決しようとする課題】
【０００５】
本発明は、上述した従来の課題を解決するためになされたものであり、遊技機に用いられるヒンジ具の小型化を図ることが可能な技術を提供することを目的とする。
【課題を解決するための手段】
【０００６】
上記課題の少なくとも一部を解決するために、この発明による遊技機は、枠体と、開閉部と、前記開閉部を前記枠体に開閉可能に接続するためのヒンジ具と、を備え、前記ヒンジ具は、前記枠体に固定された固定部と、前記固定部に連結されているとともに前記開閉部が接続されるリンク機構と、を備え、前記固定部は、前記開閉部が開状態にある場合に前記リンク機構からの鉛直方向の力を受ける支持部を有し、前記支持部は、前記開閉部が閉状態にある場合には前記リンク機構から鉛直方向の力を受けない位置に設けられている。
【０００７】
この遊技機は、開閉部を枠体に開閉可能に接続するヒンジ具を有し、そのヒンジ具は、固定部とリンク機構とを有し、その固定部は支持部を有し、その支持部は、開閉部が開状態にある場合にリンク機構からの鉛直方向の力を受け、また、その支持部は、開閉部が閉状態にある場合には前記リンク機構から鉛直方向の力を受けない位置に設けられているので、遊技機に用いられるヒンジ具の強度が改善され、ヒンジ具の小型化を図ることが可能となる。
【０００８】
上記遊技機において、前記リンク機構は、複数のリンク部材で構成されており、前記複数のリンク部材のうちの少なくとも一部は、閉状態の前記開閉部が開く方向とは反対の方向である後方向に延びる突起部を有し、前記支持部は、前記開閉部が開状態にある場合に前記突起部と接して鉛直方向の力を受けるように構成されていることとしてもよい。
【０００９】
この構成によれば、支持部が力を受ける位置は、支持部に接するリンク部材からみて、開状態の開閉部の位置とは反対側となるので、開状態における開閉部が傾くことが抑制され、ヒンジ具の小型化を図ることが可能となる。
【００１０】
上記遊技機において、前記リンク機構は、複数のリンク部材で構成されており、前記ヒンジ具は、さらに、軸と軸穴との少なくとも一方を有するとともに前記開閉部に固定される開閉固定部を有し、前記複数のリンク部材は、前記開閉固定部を接続するための軸と軸穴との少なくとも他方を有する軸部材を含み、前記支持部は、前記軸の水平位置と、前記軸の水平位置よりも前記開閉部の重心の水平位置に近い水平位置と、の少なくとも一方の水平位置で、前記複数のリンク部材のうちの少なくとも一部からの力を受けるように構成されていることとしてもよい。
【００１１】
この構成によれば、支持部が、軸の水平位置と、軸の水平位置よりも開閉部の重心の水平位置に近い水平位置と、の少なくとも一方の水平位置で、リンク部材からの力を受けるので、ヒンジ具の強度が改善され、ヒンジ具の小型化を図ることが可能となる。
【００１２】
上記遊技機において、前記開閉固定部と前記リンク機構とは複数の軸によって接続され、前記複数の軸のうちの水平位置が前記開閉部の重心の水平位置に最も近い軸を最近軸と呼ぶときに、前記支持部は、前記最近軸の水平位置と、前記最近軸の水平位置よりも前記開閉部の重心の水平位置に近い水平位置と、の少なくとも一方の水平位置で、前記複数のリンク部材のうちの少なくとも一部からの力を受けるように構成されていることとしてもよい。
【００１３】
この構成によれば、開閉固定部とリンク機構とが複数の軸によって接続され、さらに、支持部は、最近軸の水平位置と、最近軸の水平位置よりも開閉部の重心の水平位置に近い水平位置と、の少なくとも一方の水平位置で、リンク部材からの力を受けるので、ヒンジ具の強度が改善され、ヒンジ具の小型化を図ることが可能となる。
【００１４】
上記各遊技機において、前記ヒンジ具として、鉛直方向の比較的上方に設けられた上方ヒンジ具と、鉛直方向の比較的下方に設けられた下方ヒンジ具と、を備え、前記上方ヒンジ具のリンク機構と、前記下方ヒンジ具のリンク機構と、のそれぞれは、複数のリンク部材で構成されており、前記上方ヒンジ具は、さらに、軸と軸穴との少なくとも一方を有するとともに前記開閉部に固定される上方開閉固定部を有し、前記上方ヒンジ具の複数のリンク部材は、前記上方開閉固定部を接続するための軸と軸穴との少なくとも他方を有する上方軸部材を含み、前記下方ヒンジ具は、さらに、軸と軸穴との少なくとも一方を有するとともに前記開閉部に固定される下方開閉固定部を有し、前記下方ヒンジ具の複数のリンク部材は、前記下方開閉固定部を接続するための軸と軸穴との少なくとも他方を有する下方軸部材を含み、前記上方開閉固定部と前記上方軸部材とを接続するための前記軸の前記軸穴に挿入される部分の長さは、前記下方開閉固定部と前記下方軸部材とを接続するための前記軸の前記軸穴に挿入される部分の長さよりも短いこととしてもよい。
【００１５】
この構成によれば、開閉部を枠体に接続する際に、下側の軸を軸受部に装着した後で、上側の軸を軸受部に装着することができるので、開閉部の接続を容易なものとすることができる。
【００１６】
上記各遊技機において、さらに、前記枠体が開閉可能に接続される外枠体を備え、前記ヒンジ具は、さらに、軸と軸穴との少なくとも一方を有するとともに前記外枠体に固定される外枠固定部を有し、前記固定部は、前記外枠固定部を接続するための軸と軸穴との少なくとも他方を有することとしてもよい。
【００１７】
この構成によれば、枠体と開閉部との接続と、外枠体と枠体との接続と、でヒンジ具を共用するので、ヒンジ具を取り付けるための枠体の場所が過剰に広くなることを防止することができる。
【００１８】
なお、この発明は、種々の形態で実現することが可能であり、例えば、遊技機用のヒンジ具、そのヒンジ具を備えた遊技機、等の形態で実現することができる。
【図面の簡単な説明】
【００１９】
【図１】本発明の一実施例としてのパチンコ遊技機の正面図である。
【図２】前面枠３０を開けた状態のパチンコ遊技機９００の斜視図である。
【図３】内枠２０を外枠１０から外した状態のパチンコ遊技機９００の斜視図である。
【図４】上側ヒンジ具８０の構成を示す斜視図である。
【図５】下側ヒンジ具９０の構成を示す斜視図である。
【図６】前面枠３０の開閉に伴うリンク機構５９０の形状変化を示している。
【図７】下側内軸兼軸受部５００を左から見た概略側面図である。
【図８】第２実施例における下側内軸兼軸受部５００ａの構成を示す説明図である。
【図９】底面部５１０ａがリンク機構５９０ａを支える位置を示す説明図である。
【図１０】第３実施例における下側内軸兼軸受部５００ｂの構成を示す説明図である。
【発明を実施するための形態】
【００２０】
以下、本発明の実施の形態について、実施例に基づき以下の順序で説明する。
Ａ．第１実施例：
Ｂ．第２実施例：
Ｃ．第３実施例：
Ｄ．変形例：
【００２１】
Ａ．第１実施例：
図１は、本発明の一実施例としてのパチンコ遊技機の正面図である。このパチンコ遊技機９００は、外枠１０と、この外枠１０の前面に設けられた内枠２０と、この内枠２０の前面に設けられた前面枠３０と、を有している。これらの枠１０、２０、３０のそれぞれは、木材や合成樹脂や金属等を用いて四角く組まれている。また、パチンコ遊技機９００の左上には上側ヒンジ具８０が設けられ、左下には下側ヒンジ具９０が設けられている。これらのヒンジ具８０、９０は、外枠１０と内枠２０とを開閉可能に接続し、さらに、内枠２０と前面枠３０とを開閉可能に接続する。また、前面枠３０はガラス窓３２を有しており、さらに、ガラス窓３２の周囲には立体的な装飾部材３４が設けられている。また、内枠２０には各種遊技機器が取り付けられている。これらの遊技機器の一部は、ガラス窓３２越しに見えるように配置される（図示省略）。
【００２２】
図２は、前面枠３０を開けた状態のパチンコ遊技機９００の斜視図である。外枠前方向１０Ｆは、外枠１０の正面へ向かう方向であり、内枠前方向２０Ｆは、内枠２０の正面へ向かう方向であり、前面枠前方向３０Ｆは、前面枠３０の正面へ向かう方向である。正面から見た前面枠３０の左上には上側前面軸受部３００が固定され、前面枠３０の左下には下側前面軸受部６００が固定されている。一方、正面から見た内枠２０の左上には上側内軸部２００が固定され、左下には下側内軸兼軸受部５００が固定されている。上側内軸部２００と上側前面軸受部３００とは、回動可能に組み付けられ、さらに、下側内軸兼軸受部５００と下側前面軸受部６００とも、回動可能に組み付けられる（詳細は後述）。
【００２３】
図３は、内枠２０を外枠１０から外した状態のパチンコ遊技機９００の斜視図である。正面から見た外枠１０の左上には上側外軸受部１００が固定され、左下には下側外軸部４００が固定されている。上側外軸受部１００と上側内軸部２００とは、回動可能に組み付けられ、さらに、下側外軸部４００と下側内軸兼軸受部５００（図２）とも、回動可能に組み付けられる（詳細は後述）。
【００２４】
図４は、上側ヒンジ具８０の構成を示す斜視図である。上側ヒンジ具８０は、上側外軸受部１００と、上側内軸部２００と、上側前面軸受部３００とを有している。
【００２５】
上側外軸受部１００は軸穴１３２を有し、上側内軸部２００は軸２３２を有している。この軸２３２は軸穴１３２に挿入され、上側外軸受部１００（外枠１０）と上側内軸部２００（内枠２０）とは、軸２３２を中心に回動可能となる。
【００２６】
具体的には、上側外軸受部１００は、外枠１０の上面と左側面とに接した状態で固定されるＬ字状の固定部１２０と、固定部１２０の上面部分から外枠前方向１０Ｆに向かって延びる水平な平板状の軸受部１４０と、を有している。この軸受部１４０の端部には、鉛直方向に沿った軸穴１３２が設けられている。固定部１２０と軸受部１４０とは、金属板を折り曲げることによって一体に形成されている。
【００２７】
上側内軸部２００は、内枠２０に固定されるコ字状の固定部２０２を有している。この固定部２０２は、内枠２０の鉛直な面に固定される平板状の側面部２２０と、この側面部２２０の下部から内枠前方向２０Ｆに向かって延びる平板状の底面部２１０と、側面部２２０の上部から内枠前方向２０Ｆに向かって延びる平板状の上面部２３０と、を有している。各面部２１０、２２０、２３０は、金属板を折り曲げることによって、一体に形成されている。また、この上面部２３０の左前方には、鉛直方向の下に向かって延びる軸２３２が設けられている。この軸２３２が上側外軸受部１００の軸穴１３２に挿入される。また、上面部２３０と側面部２２０との間の接続部分（折り曲げ部分）の軸２３２側には、切れ込み２３３が設けられている。内枠２０を外枠１０に向かって閉じると、上側外軸受部１００の軸受部１４０は、この切れ込み２３３に差し込まれる。
【００２８】
また、上側内軸部２００の底面部２１０にはリンク機構２９０が連結され、このリンク機構２９０は２つの軸２５２、２５４を有している。一方、上側前面軸受部３００は２つの軸穴３５２、３５４を有している。第１前面軸２５２は第１前面軸穴３５２へ挿入され、第２前面軸２５４は第２前面軸穴３５４へ挿入される。その結果、上側前面軸受部３００（前面枠３０）と上側内軸部２００（内枠２０）とは、回動可能となる。
【００２９】
具体的には、上側前面軸受部３００は、前面枠３０の鉛直な面に固定される平板状の固定部３２０と、固定部３２０の上部から後面（前面枠前方向３０Ｆとは逆の方向）に向かって延びる平板状の上面部３３０と、を有している。この上面部３３０には、鉛直方向に沿った軸穴３５２、３５４が設けられている。これらの軸穴３５２、３５４は、前面枠前方向３０Ｆとは垂直な方向に沿って並んでいる。また、固定部３２０と上面部３３０とは、金属板を折り曲げることによって一体に形成されている。
【００３０】
一方、上側内軸部２００のリンク機構２９０は、固定リンク板２４０と、中間リンク板２５０と、スライドリンク板２６０と、を有している。これらのリンク板２４０、２５０、２６０は、金属板を加工して形成されている。固定リンク板２４０の一端は、固定軸２４２によって回動可能に底面部２１０の右前方に接続されている。固定リンク板２４０の他端は、第１前面軸２５２によって回動可能に中間リンク板２５０の一端と接続されている。中間リンク板２５０の他端は、第２前面軸２５４によって回動可能にスライドリンク板２６０と接続されている。スライドリンク板２６０は、２つのスライド軸２６６、２６８によって、スライド可能に底面部２１０に接続されている。２つのリンク板２４０、２６０は、底面部２１０に載せられており、中間リンク板２５０は、これら２つのリンク板２４０、２６０に載せられている。また、スライドリンク板２６０には、内枠前方向２０Ｆとは逆の後ろ方向に延びる突起部２６２が設けられている。この突起部２６２は、側面部２２０に水平方向に沿って設けられた溝２２２に差し込まれている。なお、リンク機構２９０の動作の詳細については後述する。また、このリンク機構２９０の２つの軸２５２、２５４は、鉛直方向の上に向かって延びており、上側前面軸受部３００の２つの軸穴３５２、３５４に挿入される。
【００３１】
図５は、下側ヒンジ具９０の構成を示す斜視図である。下側ヒンジ具９０は、下側外軸部４００と、下側内軸兼軸受部５００と、下側前面軸受部６００とを有している。
【００３２】
下側外軸部４００は軸４１２を有し、下側内軸兼軸受部５００は軸穴５１２を有している。この軸４１２は軸穴５１２に挿入され、下側外軸部４００（外枠１０）と下側内軸兼軸受部５００（内枠２０）とは、軸４１２を中心に回動可能となる。
【００３３】
具体的には、下側外軸部４００は、外枠１０の底辺１２の上面に固定される固定部４１０を有している。この固定部４１０は、外枠前方向１０Ｆに向かって延びる水平な平板形状を有しており、その左前方には、鉛直方向の上に向かって延びる軸４１２が設けられている。一方、下側内軸兼軸受部５００は、内枠２０に固定されるＬ字状の固定部５０２を有している。この固定部５０２は、内枠２０の鉛直な面に固定される平板状の側面部５２０と、この側面部５２０の下部から内枠前方向２０Ｆに向かって延びる平板状の底面部５１０と、を有している。各面部５１０、５２０は、金属板を折り曲げることによって、一体に形成されている。この底面部５１０の左前方には、鉛直方向に沿った軸穴５１２が設けられている。この軸穴５１２に、下側外軸部４００の軸４１２が挿入される。
【００３４】
また、底面部５１０にはリンク機構５９０が連結されている。このリンク機構５９０は、その構成が上述した上側内軸部２００（図４）のリンク機構２９０と同じであり、２つの軸５５２、５５４を有している。一方、下側前面軸受部６００は２つの軸穴６５２、６５４を有している。第１前面軸５５２は第１前面軸穴６５２に挿入され、第２前面軸５５４は第２前面軸穴６５４に挿入される。その結果、下側前面軸受部６００（前面枠３０）と下側内軸兼軸受部５００（内枠２０）とは、回動可能となる。
【００３５】
具体的には、下側前面軸受部６００は、前面枠３０の鉛直な面に固定される固定部６２０と、固定部６２０の下部から後面（前面枠前方向３０Ｆとは逆の方向）に向かって延びる平板状の底面部６１０と、を有している。この底面部６１０には、鉛直方向に沿った軸穴６５２、６５４が設けられている。これらの軸穴６５２、６５４は、前面枠前方向３０Ｆと垂直な方向に沿って並んでいる。一方、下側内軸兼軸受部５００のリンク機構５９０は、上述した上側内軸部２００（図４）のリンク機構２９０と同様の、固定リンク板５４０と、中間リンク板５５０と、スライドリンク板５６０と、を有している。中間リンク板５５０と他のリンク板５４０、５６０とを接続する第１前面軸５５２と第２前面軸５５４とは、鉛直方向の上に向かって延びており、下側前面軸受部６００の２つの軸穴６５２、６５４に挿入される。
【００３６】
図６は、前面枠３０の開閉に伴うリンク機構５９０の形状変化を示している。図６には、下側内軸兼軸受部５００の上面図が示されている。図６では、内枠前方向２０Ｆは下方向となる。また、図６（Ａ）は、前面枠３０が閉状態にある場合を示し、図６（Ｂ）は、前面枠３０を開けた状態を示し、図６（Ｃ）は、図６（Ｂ）の状態からさらに前面枠３０を開けた状態（全開状態）を示している。
【００３７】
底面部５１０と固定リンク板５４０とは、底面部５１０の右前方（図中の右下側）において、固定軸５４２によって回動可能に接続されている。前面枠３０の閉状態（図６（Ａ））において、固定リンク板５４０は、固定軸５４２から左に向かって延び、その端部は、中間リンク板５５０と第１前面軸５５２によって回動可能に連結されている。中間リンク板５５０は、第１前面軸５５２から左に向かって延び、その端部はスライドリンク板５６０と第２前面軸５５４によって回動可能に連結されている。スライドリンク板５６０は、後方向（図中の上方向）へ延びており、また、２つのスライド軸５６６、５６８によって底面部５１０に接続されている。第１スライド軸５６６は、第２前面軸５５４の後側に位置し、底面部５１０に設けられた第１スライド溝５１６に差し込まれ、この溝５１６に沿って移動することが可能である。また、第２スライド軸５６８は、第１スライド軸５６６の右側に位置し、底面部５１０に設けられた第２スライド溝５１８に差し込まれ、この溝５１８に沿って移動することが可能である。この第２スライド溝５１８は、閉状態（図６（Ａ））の第２スライド軸５６８の位置から右方向に延びるように形成されている。一方、第１スライド溝５１６は、閉状態の第１スライド軸５６６の位置から右斜め前方向に延びた後、右方向に向きを変えて延びるように形成されている。
【００３８】
スライドリンク板５６０の右側には、鉛直方向の上に向かって延びるバネ係合部５６４が設けられ（図５）、側面部５２０の右側には、内枠前方向２０Ｆに向かって延びるバネ係合部５２４が設けられている。このバネ係合部５２４は、スライドリンク板５６０のバネ係合部５６４の右側に位置している。また、これらのバネ係合部５２４、５６４には、バネ５０４が掛けられている。スライドリンク板５６０は、このバネ５０４によって、右方向に付勢される。
【００３９】
前面枠３０を開けると、固定リンク板５４０が手前に向かって回動し、第１前面軸５５２（中間リンク板５５０）も手前に向かって移動する。すると、スライドリンク板５６０は、中間リンク板５５０に引っ張られて、右方向に移動する（図６（Ｂ））。ここで、中間リンク板５５０は、バネ５０４によって右方向に付勢されているので、滑らかに移動することができる。また、第１スライド軸５６６は、右斜め前方向に移動した後に、右方向に移動する。その結果、第２前面軸５５４は、右斜め前方向に移動した後に、第１前面軸５５２の後ろを右方向へ移動する（図６（Ｃ））。
【００４０】
ところで、前面枠３０は、正面から見て左側に位置する第２前面軸５５４を中心に回動して開く。この際、この軸５５４は、上述したように、右方向に移動する。その結果、前面枠３０を開けると、前面枠３０の全体が右方向へ移動するので、この前面枠３０に設けられた立体的な装飾部材３４（図１）が、パチンコ遊技機９００の左に位置する機器（例えば、他のパチンコ遊技機や玉貸機）と接触することを抑制することが可能となる。従って、前面枠３０に設けられる装飾部材３４の大きさと形状との自由度を高めることが可能となる。
【００４１】
また、スライドリンク板５６０は、閉状態の前面枠３０が開く方向（内枠前方向２０Ｆ）とは逆の後方向へ突出する突起部５６２を有している。この突起部５６２は、側面部５２０に水平方向に沿って設けられた溝５２２に差し込まれている（図５）。この突起部５６２は、開状態では溝５２２の左側に位置し（図６（Ａ））、前面枠３０を開けることによって、溝５２２の右側に移動する（図６（Ｂ）（Ｃ））。
【００４２】
図７は、前面枠３０が開状態にある場合（図６（Ｂ）（Ｃ））の、下側内軸兼軸受部５００を左から見た概略側面図である。図７では、内枠前方向２０Ｆは右方向となる。
【００４３】
底面部５１０の上には、スライドリンク板５６０と固定リンク板５４０とが載っている。スライドリンク板５６０の突起部５６２は、側面部５２０に設けられた溝５２２に差し込まれている。なお、内枠２０にも、突起部５６２が移動するための溝が設けられている（図示省略）。
【００４４】
固定リンク板５４０とスライドリンク板５６０との上には、中間リンク板５５０が載っている。また、第１前面軸５５２と第２前面軸５５４とは、中間リンク板５５０から、さらに、鉛直方向の上に向かって延びている。中間リンク板５５０の上には、これらの軸５５２、５５４にはめ込まれた底面部６１０が位置することとなる。
【００４５】
前面枠３０が開状態にある場合には、中間リンク板５５０は、底面部６１０（前面枠３０）からの荷重を受けて、内枠前方向２０Ｆ側が下となるように傾こうとする。すると、中間リンク板５５０に連結されたスライドリンク板５６０は、後側が上となるように傾こうとする。このような場合でも、スライドリンク板５６０の後ろ側に設けられた突起部５６２が側面部５２０によって鉛直方向の下向きに押さえられるので、リンク機構５９０、すなわち、前面枠３０が傾くことが抑制される。
【００４６】
このように、本実施例のリンク機構５９０では、前面枠３０が開状態である場合に、側面部５２０がスライドリンク板５６０からの鉛直方向の力を受けるので、リンク機構５９０が意図しない形状に変形することを抑制し、リンク機構５９０の強度を改善することが可能となる。その結果、リンク機構５９０の小型化を図ることが可能となる。また、より重い前面枠３０を組み付けることが可能となるので、より豊富な種類の遊技機を提供することができる。なお、本実施例では、側面部５２０の、開状態におけるスライドリンク板５６０から力を受ける部分（溝５２２の右上の部分）が「支持部」に相当する。
【００４７】
以上、下側内軸兼軸受部５００のリンク機構５９０について説明したが、上側内軸部２００のリンク機構２９０についても、その構成と機能とは同じである。また、本実施例において、上側前面軸受部３００は「上方開閉固定部」に相当し、下側前面軸受部６００は「下方開閉固定部」に相当する。
【００４８】
ところで、第１前面軸５５２（図７）には、中間リンク板５５０と底面部６１０との間に挟まれる鍔５５２ｓが設けられ、第２前面軸５５４にも、同様の鍔５５４ｓが設けられている。その結果、これらの軸５５２、５５４は、底面部６１０が鍔５５２ｓ、５５４ｓに接するまで、軸穴６５２、６５４に挿入される。図中の軸の長さＬｎは、このような、軸穴に挿入される軸の長さ（以下「挿入軸長」と呼ぶ）を示している。図７の例では、２つの軸５５２、５５４の挿入軸長Ｌｎは同じである。同様に、上側内軸部２００の第１前面軸２５２と第２前面軸２５４とについても、挿入軸長を定義することができる。
【００４９】
ここで、上側に設けられたリンク機構２９０の軸２５２、２５４（図４）の挿入軸長（以下「上側挿入軸長」と呼ぶ）を、下側に設けられたリンク機構５９０の軸５５２、５５４の挿入軸長（以下「下側挿入軸長」と呼ぶ）よりも短くすることが好ましい。こうすれば、下側の軸５５２、５５４を軸穴６５２、６５４に挿入した状態を維持しつつ、前面枠３０を上側に少しずらして、上側の軸２５２、２５４を軸穴３５２、３５４に挿入することができる。その結果、前面枠３０を内枠２０に取り付ける作業を容易なものとすることができる。ここで、上側挿入軸長と下側挿入軸長との差分は、３ｍｍ以上が好ましく、５ｍｍ以上が特に好ましく、７ｍｍ以上が最も好ましい。
【００５０】
また、図６に示すように、下側内軸兼軸受部５００のスライドリンク板５６０、すなわち、第２前面軸５５４は、バネ５０４によって、固定軸５４２へ向かう方向（右方向）に付勢されている。ここで、閉状態（図６（Ａ））においては、これらの軸５５４、５４２の間に位置する第１前面軸５５２の中心Ｃは、これらの軸５５４、５４２の中心を結ぶ仮想的な直線Ｌよりも後側（内枠前方向２０Ｆとは逆の方向）に位置している。この状態から前面枠３０を開けると、中心Ｃは、仮想直線Ｌを横切って、仮想直線Ｌの前側（内枠前方向２０Ｆ）に移動する（図６（Ｂ）（Ｃ））。
【００５１】
従って、閉状態では、バネ５０４による付勢力は、第１前面軸５５２を仮想直線Ｌよりもさらに後側へ移動させる方向、すなわち、前面枠３０を閉じる方向の力として働く。一方、開状態（図６（Ｂ）（Ｃ））では、バネ５０４による付勢力は、第１前面軸５５２を仮想直線Ｌよりもさらに前側へ移動させる方向、すなわち、前面枠３０を開ける方向の力として働く。このように、バネ５０４は、前面枠３０が開状態にある場合には開状態を維持する方向に力を付勢し、前面枠３０が閉状態にある場合には閉状態を維持する方向に力を付勢する。換言すれば、リンク機構５９０は、前面枠３０を開ける途中で付勢力の向きが閉方向から開方向へ切り替わるように構成されている。従って、前面枠３０が意図せず開くことと、意図せず閉まることと、を抑制することが可能となる。これは、上側のリンク機構２９０（図４）についても同じである。
【００５２】
このように、付勢力の向きが、前面枠３０を開ける途中で、閉める方向から開ける方向へ切り替わる機構の構成としては、図６に示したリンク機構５９０の構成に限らず、種々の構成を採用することができる。ただし、ヒンジ具としては、このような力の付勢を行わないリンク機構を採用してもよい。
【００５３】
Ｂ．第２実施例：
図８は、第２実施例における下側内軸兼軸受部５００ａの構成を示す説明図である。図８には、下側内軸兼軸受部５００ａの上面図が示されている。図６に示す第１実施例の下側内軸兼軸受部５００との差異は、底面部５１０ａが、内枠前方向２０Ｆ方向に延長されている点である。また、スライドリンク板５６０ａでは、突起部５６２が省略され、側面部５２０ａでは、溝５２２が省略されている。他の部分の構成とリンク機構５９０ａの動作とは、第１実施例の下側内軸兼軸受部５００（リンク機構５９０（図６））と同じである。
【００５４】
図８には、前面枠３０の開閉に伴う下側内軸兼軸受部５００ａのリンク機構５９０ａの形状変化が示されている。図８（Ａ）は、前面枠３０が開状態にある場合を示し、図８（Ｂ）は、前面枠３０を開けた状態を示し、図８（Ｃ）は、図８（Ｂ）の状態からさらに前面枠３０を開けた状態（全開状態）を示している。各状態におけるリンク機構５９０ａの形状は、図６に示すリンク機構５９０の形状と同じである。
【００５５】
第２実施例では、リンク機構５９０ａは、鉛直方向に沿って見た場合に、前面枠３０の開閉の状態に拘わらずに、底面部５１０ａが占める領域内に含まれている。換言すれば、リンク機構５９０ａの可動な構成要素（リンク板５４０、５５０、５６０ａと軸５４２、５５２、５５４、５６６、５６８）の、前面枠３０の開閉に伴って移動する範囲（軌跡）は、鉛直方向に沿って見た場合に、底面部５１０ａの輪郭で囲まれた範囲内にある。
【００５６】
図９は、底面部５１０ａがリンク機構５９０ａを支える位置を示す説明図である。図９には、図８と同様の、下側内軸兼軸受部５００ａの上面図が示されている。図９（Ａ）は、図８（Ｂ）と同じ開状態を示し、図９（Ｂ）は、図８（Ｃ）と同じ全開状態を示している。
【００５７】
図中のハッチングが付された部分は、底面部５１０ａがリンク機構５９０ａを支える部分のうちの、第１前面軸５５２よりも前面枠３０の重心３０ｃに近い部分を示している。具体的には、重心３０ｃとの水平距離が、重心３０ｃと第１前面軸５５２の中心Ｃとの水平距離よりも短い部分を示している。ここで、「水平距離」とは、水平位置間の距離を意味している。「水平位置」とは、鉛直方向と直行する水平面上に投影して得られる位置を意味している。また、図中の円弧３０ａｒｃは、重心３０ｃの水平位置を中心とし、第１前面軸５５２の中心Ｃの水平位置を通る円弧である。ハッチングは、底面部５１０ａの固定リンク板５４０と接する部分のうちの、この円弧３０ａｒｃの内側部分に付されている。
【００５８】
前面枠３０の荷重は、主に、前面枠３０に固定された下側前面軸受部６００に接続される２つの軸５５２、５５４にかかる。特に、前面枠３０を開けた場合には、前面枠３０は、これらの軸５５２、５５４によって支えられることとなる。このような場合でも、これらの２つの軸５５２、５５４は、底面部５１０ａによって鉛直方向の上向きに支えられるので、前面枠３０が傾くことが抑制される。その結果、リンク機構５９０ａの強度が改善され、リンク機構５９０ａの小型化を図ることが可能となる。
【００５９】
ここで、第１前面軸５５２は、下側前面軸受部６００とリンク機構５９０ａとを接続する全ての軸５５２、５５４の中の、重心３０ｃとの水平距離が最も短い軸（以下「最近軸」と呼ぶ）である。底面部５１０ａは、このような最近軸５５２の水平位置でリンク機構５９０ａを支持するので、リンク機構５９０ａの強度を改善する効果が顕著となる。
【００６０】
さらに、図９の例では、底面部５１０ａは、最近軸５５２よりも前面枠３０の重心３０ｃに近い（重心３０ｃとの水平距離が短い）位置（図９のハッチングが付された位置）で、リンク機構５９０ａ（図９の例では、固定リンク板５４０）からの力を受ける。その結果、開状態で前面枠３０が傾くことが抑制され、リンク機構５９０ａの強度を改善する効果が特に顕著となる。その結果、ヒンジ具の小型化を図ることが可能となる。
【００６１】
なお、本実施例では、底面部５１０ａの、閉状態のリンク機構５９０ａからは力を受けず、開状態のリンク機構５９０ａから力を受ける部分が「支持部」に相当する。
【００６２】
以上、下側内軸兼軸受部５００ａについて説明したが、上側内軸部についても、その構成と機能とは同様である。
【００６３】
Ｃ．第３実施例：
図１０は、第３実施例における下側内軸兼軸受部５００ｂの構成を示す説明図である。図１０には、下側内軸兼軸受部５００ｂの上面図が示されている。図６に示す第１実施例の下側内軸兼軸受部５００との差異は、バネ５０４ｂが側面部５２０ｂの裏側（内枠前方向２０Ｆとは反対方向の側）に設けられている点である。他の部分の構成とリンク機構５９０ｂの動作とは、第１実施例の下側内軸兼軸受部５００（リンク機構５９０（図６））と同じである。
【００６４】
第３実施例のスライドリンク板５６０ｂの突起部５６２ｂには、穴５６３ｂが設けられている。この穴５６３ｂは、突起部５６２ｂの、側面部５２０ｂの裏側に突き出た部分に設けられている。また、第３実施例のバネ係合部５２４ｂは、内枠前方向２０Ｆとは逆の後方向に向かって延びている。バネ５０４ｂは、これらの穴５６３ｂとバネ係合部５２４ｂとに掛けられている。その結果、このバネ５０４ｂは、側面部５２０ｂの後ろに位置することとなる。
【００６５】
このように、第３実施例の下側内軸兼軸受部５００ｂでは、突起部５６２ｂが側面部５２０ｂの後側に突き抜けており、この突き抜けた部分に、バネ５０４ｂが掛けられている。その結果、バネ５０４ｂを側面部５２０ｂの後面に隠すことができるので、前面枠３０を開けた際に異物（例えば、遊技球や、修理用のねじ）がバネ５０４ｂに引っかかることを抑制することができる。
【００６６】
以上、下側内軸兼軸受部５００ｂについて説明したが、上側内軸部についても、その構成と機能とは同様である。
【００６７】
なお、リンク機構としては、図１０に示すリンク機構５９０ｂに限らず、種々のリンク機構を採用することができる。また、一般に、リンク機構に付勢手段を設ける場合には、リンク機構の後側（開閉部を開く側とは逆側）に、穴を有する壁を設け、リンク部材の一部に、この壁の穴を突き抜ける突起部を設け、その突き抜けた部分に付勢手段を接続することが好ましい。こうすれば、付勢手段を壁の後ろに隠すことができるので、付勢手段に異物が引っかかることを抑制することが可能となる。なお、付勢手段としては、バネに限らず、ゴム等の弾性体を用いてもよい。
【００６８】
Ｄ．変形例：
なお、この発明は上記の実施例や実施形態に限られるものではなく、その要旨を逸脱しない範囲において種々の態様において実施することが可能であり、例えば次のような変形も可能である。
【００６９】
変形例１：
リンク機構の構成としては、上述の各実施例の構成に限らず、他の構成を採用することも可能である。いずれの場合も、ヒンジ具が、枠体に固定される固定部と、固定部に連結されたリンク機構と、を有し、開閉部が開状態にある場合に、固定部に設けられた支持部が、リンク機構から鉛直方向の力を受けることが好ましい。また、支持部は、開閉部が閉状態である場合には、リンク機構から鉛直方向の力を受けない位置に設けられていることが好ましい。こうすれば、支持部は、特に開状態におけるリンク機構から力を受けることとなるので、開状態におけるリンク機構、すなわち、開閉部が傾くことを適切に抑制することが可能となる。
【００７０】
ここで、図４〜図７に示した第１実施例と同様に、リンク部材の一部が、閉状態の開閉部が開く方向とは逆の方向である後方向に延びる突起部を有し、固定部に設けられた支持部が、この突起部と接して鉛直方向の力を受けることとしてもよい。こうすれば、支持部がリンク部材を支持する位置が、そのリンク部材からみて、開状態の開閉部の位置とは反対側に位置することとなる。その結果、開状態におけるリンク機構、すなわち、開閉部が傾くことが抑制され、ヒンジ具の小型化を図ることが可能となる。また、支持部がヒンジ具の前面に突出することが防止されるので、ヒンジ具が開閉部の前面のデザインに影響を与えることを抑制することができる。
【００７１】
なお、リンク部材の突起部は、開閉部の開閉状態に拘わらずに後方に突出しているものに限らず、開状態において、そのリンク部材の後方に延びているものであればよい。例えば、開閉部を開けることによって、そのリンク部材の後方に移動するものであってもよい。
【００７２】
また、図８、図９に示した第２実施例と同様に、支持部が、最近軸の水平位置と、最近軸の水平位置よりも開閉部の重心の水平位置に近い水平位置と、の少なくとも一方の水平位置でリンク部材を支持する構成としてもよい。ここで、「最近軸」とは、開閉部に固定された開閉固定部と、リンク機構と、の接続に用いられる軸のうち、水平位置が開閉部の重心の水平位置に最も近い軸を意味している。ここで、支持部が最近軸の水平位置において力を受ける場合には、最近軸と直接接して力を受けてもよく、この代わりに、他のリンク部材と接して力を受けてもよい。
【００７３】
ここで、支持部が、最近軸の水平位置で力を受け、最近軸よりも開閉部の重心との水平距離が短い水平位置では力を受けない構成を用いてもよい。こうすれば、支持部の小型化を図ることができる。また、最近軸の水平位置では力を受けず、開閉部の重心との水平距離がより短い水平位置で力を受ける構成を用いてもよい。この場合も、開閉部が傾くことが抑制されるので、ヒンジ具全体の小型化を図ることが可能となる。
【００７４】
また、開閉固定部と、リンク機構と、を接続するための軸の数は２よりも多くてもよく、また、１つでもよい。いずれの場合も、最近軸の水平位置と、開閉部の重心との水平距離がより短い水平位置と、の少なくとも一方で、支持部がリンク機構から力を受ける構成を採用することが好ましい。なお、開閉固定部とリンク機構とを１つの軸で接続する場合には、軸と軸穴との断面形状を非円形状（例えば、矩形状や楕円形状）とすることが好ましい。こうすれば、リンク機構が動いていないにも拘わらずに、開閉部が回動することを防止することができる。
【００７５】
変形例２：
上述の各実施例において、上側内軸部の２つの前面軸（例えば、図４の前面軸２５２、２５４）の挿入軸長は、下側内軸兼軸受部の２つの前面軸（例えば、図５の前面軸５５２、５５４）の挿入軸長よりも短いことが好ましい。こうすれば、前面枠３０を内枠２０に接続することを容易なものとすることができる。
【００７６】
一般に、鉛直方向の上方と下方との２カ所で、枠体に設けられたリンク機構と、開閉部に固定された開閉固定部とを、軸と軸穴との組み合わせを用いて接続する場合には、上方側の軸の挿入軸長が下方側の軸の挿入軸長よりも短いことが好ましい。この際、下側挿入軸長と上側挿入軸長との差分は、３ｍｍ以上が好ましく、５ｍｍ以上が特に好ましく、７ｍｍ以上が最も好ましい。
【００７７】
変形例３：
上述の実施例では、外枠１０と内枠２０と前面枠３０との３つの枠を、共通のヒンジ具（例えば、図４の上側内軸部２００や図５の下側内軸兼軸受部５００）を用いて接続しているが、別々のヒンジ具を用いて接続することとしてもよい。例えば、内枠２０に、外枠１０を接続するためのヒンジ具と、前面枠３０を接続するためのヒンジ具と、を別々に設けてもよい。ただし、共通のヒンジ具を用いて接続すれば、ヒンジ具を取り付けるために要求される場所が過剰に広くなることを防止することができる。また、ヒンジ具の構成の簡素化を図ることも可能となる。
【００７８】
変形例４：
上述の各実施例において、各ヒンジ具の軸と軸穴との関係を逆転させてもよい。ただし、リンク機構（例えば、図５のリンク機構５９０）に軸を設け、開閉固定部（例えば、図５の下側前面軸受部６００）に軸穴を設けることとすれば、リンク機構５９０の構成が過剰に複雑化することを防止することができる。
【符号の説明】
【００７９】
１０...外枠
１２...底辺
２０...内枠
３０...前面枠
３０ｃ...重心
３２...ガラス窓
３４...装飾部材
８０...上側ヒンジ具
９０...下側ヒンジ具
１００...上側外軸受部
１２０...固定部
１３２...軸穴
１４０...軸受部
２００...上側内軸部
２０２...固定部
２０４...バネ
２１０...底面部
２２０...側面部
２２２...溝
２２４...バネ係合部
２３０...上面部
２３２...軸
２３３...切れ込み
２４０...固定リンク板
２４２...固定軸
２５０...中間リンク板
２５２...第１前面軸
２５４...第２前面軸
２６０...スライドリンク板
２６２...突起部
２６４...バネ係合部
２６６...第１スライド軸
２６８...第２スライド軸
２９０...リンク機構
３００...上側前面軸受部
３２０...固定部
３３０...上面部
３５２...第１前面軸穴
３５４...第２前面軸穴
４００...下側外軸部
４１０...固定部
４１２...軸
５００、５００ａ、５００ｂ...下側内軸兼軸受部
５０２...固定部
５０４、５０４ｂ...バネ
５１０、５１０ａ...底面部
５１２...軸穴
５１６...第１スライド溝
５１８...第２スライド溝
５２０、５２０ａ、５２０ｂ...側面部
５２２...溝
５２４、５２４ｂ...バネ係合部
５４０...固定リンク板
５４２...固定軸
５５０...中間リンク板
５５２...第１前面軸
５５２ｓ...鍔
５５４...第２前面軸
５５４ｓ...鍔
５６０、５６０ａ、５６０ｂ...スライドリンク板
５６２、５６２ｂ...突起部
５６３ｂ...穴
５６４...バネ係合部
５６６...第１スライド軸
５６８...第２スライド軸
５９０、５９０ａ、５９０ｂ...リンク機構
６００...下側前面軸受部
６１０...底面部
６２０...固定部
６５２...第１前面軸穴
６５４...第２前面軸穴
９００...パチンコ遊技機
【図１】
2011005303.tif 000003
【図２】
2011005303.tif 000004
【図３】
2011005303.tif 000005
【図４】
2011005303.tif 000006
【図５】
2011005303.tif 000007
【図６】
2011005303.tif 000008
【図７】
2011005303.tif 000009
【図８】
2011005303.tif 000010
【図９】
2011005303.tif 000011
【図１０】
2011005303.tif 000012